【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
ユーザを識別するための識別情報を記憶する無線端末と通信可能な画像形成装置であって、
ユーザと対応付いた印刷ジョブを受信する受信手段と、
前記受信手段で受信した印刷ジョブに従って、当該印刷ジョブのユーザのログインにかかる処理を予め実行する範囲を、当該範囲より広い範囲でログインにかかる処理を予め実行させるように範囲変更する変更手段と、
前記無線端末が前記変更手段で変更された範囲か否かを判定する範囲判定手段と、
前記範囲判定手段で、前記無線端末が変更された範囲であると判定される場合に、前記無線端末との通信によって得られた識別情報に対応するユーザのログインにかかる処理を予め実行する実行手段と
を備えることを特徴とする画像形成装置。
【請求項２】
前記実行手段でログインにかかる処理を予め実行し、ログインしたユーザの印刷ジョブの印刷を指示する印刷指示手段と、
前記変更手段は、前記印刷指示手段での印刷指示に従って、当該ユーザに対応するログインにかかる処理を予め実行する範囲を元の範囲に変更することを特徴とする請求項１に記載の画像形成装置。
【請求項３】
前記変更手段で元の範囲に変更されたことを通知する通知手段を更に備えることを特徴とする請求項２に記載の画像形成装置。
【請求項４】
当該画像形成装置がログアウト状態か否かを判定するログアウト判定手段を更に備え、
前記ログアウト判定手段でログアウト状態であると判定される場合に、前記実行手段でログインにかかる処理を予め実行することを特徴とする請求項１乃至３のいずれか１項に記載の画像形成装置。
【請求項５】
前記受信手段で受信した印刷ジョブを格納する格納手段と、
前記識別情報取得手段で取得した識別情報に対応するユーザの印刷ジョブがあるか否かを判定する印刷ジョブ判定手段とを更に備え、
前記変更手段は、前記印刷ジョブ判定手段で印刷ジョブがあると判定された場合に、当該印刷ジョブのユーザのログインにかかる処理を予め実行する範囲を、当該範囲より広い範囲でログインにかかる処理を予め実行させるように範囲変更することを特徴とする請求項１乃至５のいずれか１項に記載の画像形成装置。
【請求項６】
ユーザを識別するための識別情報を記憶する無線端末と通信可能な画像形成装置を含むプリントシステムであって、
ユーザと対応付いた印刷ジョブを受信する受信手段と、
前記受信手段で受信した印刷ジョブに従って、当該印刷ジョブのユーザのログインにかかる処理を予め実行する範囲を、当該範囲より広い範囲でログインにかかる処理を予め実行させるように範囲変更する変更手段と、
前記無線端末が前記変更手段で変更された範囲か否かを判定する範囲判定手段と、
前記範囲判定手段で、前記無線端末が変更された範囲であると判定される場合に、前記無線端末との通信によって得られた識別情報に対応するユーザのログインにかかる処理を予め実行する実行手段と
を備えることを特徴とするプリントシステム。
【請求項７】
ユーザを識別するための識別情報を記憶する無線端末と通信可能な画像形成装置における処理方法あって、
前記画像形成装置が、
ユーザと対応付いた印刷ジョブを受信する受信ステップと、
前記受信ステップで受信した印刷ジョブに従って、当該印刷ジョブのユーザのログインにかかる処理を予め実行する範囲を、当該範囲より広い範囲でログインにかかる処理を予め実行させるように範囲変更する変更ステップと、
前記無線端末が前記変更ステップで変更された範囲か否かを判定する範囲判定ステップと、
前記範囲判定ステップで、前記無線端末が変更された範囲であると判定される場合に、前記無線端末との通信によって得られた識別情報に対応するユーザのログインにかかる処理を予め実行する実行ステップと
を実行することを特徴とする処理方法。
【請求項８】
ユーザを識別するための識別情報を記憶する無線端末と通信可能な画像形成装置を含むプリントシステムの処理方法であって、
前記プリントシステムが、
ユーザと対応付いた印刷ジョブを受信する受信ステップと、
前記受信ステップで受信した印刷ジョブに従って、当該印刷ジョブのユーザのログインにかかる処理を予め実行する範囲を、当該範囲より広い範囲でログインにかかる処理を予め実行させるように範囲変更する変更ステップと、
前記無線端末が前記変更ステップで変更された範囲か否かを判定する範囲判定ステップと、
前記範囲判定ステップで、前記無線端末が変更された範囲であると判定される場合に、前記無線端末との通信によって得られた識別情報に対応するユーザのログインにかかる処理を予め実行する実行ステップと
を実行することを特徴とする処理方法。
【請求項９】
ユーザを識別するための識別情報を記憶する無線端末と通信可能な画像形成装置で実行可能なプログラムであって、
前記画像形成装置を
ユーザと対応付いた印刷ジョブを受信する受信手段と、
前記受信手段で受信した印刷ジョブに従って、当該印刷ジョブのユーザのログインにかかる処理を予め実行する範囲を、当該範囲より広い範囲でログインにかかる処理を予め実行させるように範囲変更する変更手段と、
前記無線端末が前記変更手段で変更された範囲か否かを判定する範囲判定手段と、
前記範囲判定手段で、前記無線端末が変更された範囲であると判定される場合に、前記無線端末との通信によって得られた識別情報に対応するユーザのログインにかかる処理を予め実行する実行手段
として機能させることを特徴とするプログラム。
【請求項１０】
ユーザを識別するための識別情報を記憶する無線端末と通信可能な画像形成装置を含むプリントシステムで実行可能なプログラムであって、
前記プリントシステムを
ユーザと対応付いた印刷ジョブを受信する受信手段と、
前記受信手段で受信した印刷ジョブに従って、当該印刷ジョブのユーザのログインにかかる処理を予め実行する範囲を、当該範囲より広い範囲でログインにかかる処理を予め実行させるように範囲変更する変更手段と、
前記無線端末が前記変更手段で変更された範囲か否かを判定する範囲判定手段と、
前記範囲判定手段で、前記無線端末が変更された範囲であると判定される場合に、前記無線端末との通信によって得られた識別情報に対応するユーザのログインにかかる処理を予め実行する実行手段
として機能させることを特徴とするプログラム。
【手続補正２】
【補正対象書類名】明細書
【補正対象項目名】発明の名称
【補正方法】変更
【補正の内容】
【発明の名称】画像形成装置とプリントシステムと、その処理方法およびプログラム
【手続補正３】
【補正対象書類名】明細書
【補正対象項目名】０００１
【補正方法】変更
【補正の内容】
【０００１】
本発明は、無線認証による画像形成装置のログインにかかる処理を実行するための無線端末の範囲の切換を行う画像形成装置とプリントシステムと、その処理方法およびプログラムに関する。
【手続補正４】
【補正対象書類名】明細書
【補正対象項目名】０００８
【補正方法】変更
【補正の内容】
【０００８】
そこで本発明は、印刷ジョブによってユーザのログインにかかる処理を実行するための無線端末の範囲を切り替えることができる仕組みを提供することを目的とする。
【手続補正５】
【補正対象書類名】明細書
【補正対象項目名】０００９
【補正方法】変更
【補正の内容】
【０００９】
本発明は、ユーザを識別するための識別情報を記憶する無線端末と通信可能な画像形成装置であって、ユーザと対応付いた印刷ジョブを受信する受信手段と、前記受信手段で受信した印刷ジョブに従って、当該印刷ジョブのユーザのログインにかかる処理を予め実行する範囲を、当該範囲より広い範囲でログインにかかる処理を予め実行させるように範囲変更する変更手段と、前記無線端末が前記変更手段で変更された範囲か否かを判定する範囲判定手段と、前記範囲判定手段で、前記無線端末が変更された範囲であると判定される場合に、前記無線端末との通信によって得られた識別情報に対応するユーザのログインにかかる処理を予め実行する実行手段とを備えることを特徴とする。
【手続補正６】
【補正対象書類名】明細書
【補正対象項目名】００１０
【補正方法】変更
【補正の内容】
【００１０】
また、前記実行手段でログインにかかる処理を予め実行し、ログインしたユーザの印刷ジョブの印刷を指示する印刷指示手段と、前記変更手段は、前記印刷指示手段での印刷指示に従って、当該ユーザに対応するログインにかかる処理を予め実行する範囲を元の範囲に変更することを特徴とする。
【手続補正７】
【補正対象書類名】明細書
【補正対象項目名】００１１
【補正方法】変更
【補正の内容】
【００１１】
また、前記変更手段で元の範囲に変更されたことを通知する通知手段を更に備えることを特徴とする。
【手続補正８】
【補正対象書類名】明細書
【補正対象項目名】００１２
【補正方法】変更
【補正の内容】
【００１２】
また、当該画像形成装置がログアウト状態か否かを判定するログアウト判定手段を更に備え、前記ログアウト判定手段でログアウト状態であると判定される場合に、前記実行手段でログインにかかる処理を予め実行することを特徴とする。
【手続補正９】
【補正対象書類名】明細書
【補正対象項目名】００１３
【補正方法】変更
【補正の内容】
【００１３】
また、前記受信手段で受信した印刷ジョブを格納する格納手段と、前記識別情報取得手段で取得した識別情報に対応するユーザの印刷ジョブがあるか否かを判定する印刷ジョブ判定手段とを更に備え、前記変更手段は、前記印刷ジョブ判定手段で印刷ジョブがあると判定された場合に、当該印刷ジョブのユーザのログインにかかる処理を予め実行する範囲を、当該範囲より広い範囲でログインにかかる処理を予め実行させるように範囲変更することを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
本発明により、印刷ジョブによってユーザのログインにかかる処理を実行するための無線端末の範囲を切り替えることができる。